(57)【要約】【課題】一例として、板状端子とバスバー等の導電体とがより容易に接合される組電池を得る。【解決手段】実施形態にかかる組電池は、ケースと、複数の電池と、バスバーと、を備える。電池の少なくとも一部は、ケース内に収容される。電池は、扁平であり、正極および負極の板状端子を有する。バスバーは、板状であり、電池の厚さ方向に沿った第一の面とこの第一の面の反対側の第二の面とを有する。第一の面または第二の面には、板状端子に対応した凹部または凸部が設けられる。バスバーには、板状端子が接合される。板状端子の厚さ方向に曲げられた先端部分が、凹部または凸部と対応して位置されるとともに、バスバーと重ねられて接合される。【選択図】図７
2014022195.tif 000002
【特許請求の範囲】
【請求項１】
ケースと、
前記ケース内に少なくとも一部が収容され、正極および負極の板状端子を有した扁平な複数の電池と、
前記電池の厚さ方向に沿った第一の面とこの第一の面の反対側の第二の面とを有し、前記第一の面または前記第二の面に前記板状端子に対応した凹部または凸部が設けられ、前記板状端子が接合された板状のバスバーと、
を備え、
前記板状端子の厚さ方向に曲げられた先端部分が、前記凹部または前記凸部と対応して位置されるとともに、前記バスバーと重ねられて接合された組電池。
【請求項２】
前記第一の面上または前記第二の面上で、複数の前記板状端子の前記先端部分の端部同士が互いに面して配置された、請求項１に記載の組電池。
【請求項３】
互いに面した複数の前記端部のそれぞれに対応して前記凹部が位置され、互いに面した前記複数の端部と前記バスバーの前記凹部間の領域とが一度に溶接された溶接部分を有した、請求項２に記載の組電池。
【請求項４】
互いに面した複数の前記端部間に前記凸部が位置され、互いに面した前記複数の端部と前記凸部とが一度に溶接された溶接部分を有した、請求項２に記載の組電池。
【請求項５】
前記バスバーと前記先端部分とが互いに溶接された線状の第一の溶接部分と、当該第一の溶接部分の延長線上に略沿って位置され前記バスバーと前記先端部分とが互いに溶接された線状の第二の溶接部分と、を備えた、請求項１〜４のうちいずれか一つに記載の組電池。
【請求項６】
前記板状端子と前記バスバーとが、異なる溶接方式による複数の溶接部分で互いに溶接された、請求項１〜５のうちいずれか一つに記載の組電池。
【請求項７】
複数の前記板状端子と前記バスバーとが重ねられて接合された、請求項１〜６のうちいずれか一つに記載の組電池。
【請求項８】
前記バスバーが、前記ケースの壁部に固定された、請求項１〜７のうちいずれか一つに記載の組電池。
【請求項９】
前記正極および前記負極の前記板状端子が前記電池の一端部から突出し、複数の前記電池の前記板状端子が、一つの前記壁部側に位置された、請求項８に記載の組電池。
【請求項１０】
前記バスバーが、前記壁部にインサート成形で固定された、請求項８または９に記載の組電池。
【請求項１１】
正極および負極の端子を有した複数の電池と、
前記端子に対応した凹部または凸部が設けられ、前記端子が接合された板状のバスバーと、
を備え、
前記端子が、前記凹部または前記凸部と対応して位置されるとともに、前記バスバーと重ねられて接合された組電池。
【発明の詳細な説明】
【技術分野】
【０００１】
本発明の実施形態は、組電池に関する。
【背景技術】
【０００２】
従来、ケース内に、板状端子（電極）を有した複数の電池が収容された組電池が知られている。
【先行技術文献】
【特許文献】
【０００３】
【特許文献１】特開２００３−１５７８１３号公報
【発明の概要】
【発明が解決しようとする課題】
【０００４】
この種の組電池では、一例としては、板状端子とバスバー等の導電体とがより容易に接合されるのが望ましい。
【課題を解決するための手段】
【０００５】
本発明の実施形態にかかる組電池は、ケースと、複数の電池と、バスバーと、を備える。電池の少なくとも一部は、ケース内に収容される。電池は、扁平であり、正極および負極の板状端子を有する。バスバーは、板状であり、電池の厚さ方向に沿った第一の面とこの第一の面の反対側の第二の面とを有する。第一の面または第二の面には、板状端子に対応した凹部または凸部が設けられる。バスバーには、板状端子が接合される。板状端子の厚さ方向に曲げられた先端部分が、凹部または凸部と対応して位置されるとともに、バスバーと重ねられて接合される。
【図面の簡単な説明】
【０００６】
【図１】図１は、第１実施形態にかかる組電池の一例の斜視図である。
【図２】図２は、第１実施形態にかかる組電池の一例を別の角度から見た斜視図である。
【図３】図３は、第１実施形態にかかる組電池の一例の分解斜視図である。
【図４】図４は、第１実施形態にかかる組電池の一例に含まれる電池の斜視図である。
【図５】図５は、第１実施形態にかかる組電池の一例のバスバーの斜視図である。
【図６】図６は、第１実施形態にかかる組電池の一例のバスバーおよび板状端子の斜視図であって、板状端子が折り曲げられる前の状態が示された図である。
【図７】図７は、第１実施形態にかかる組電池の一例のバスバーおよび板状端子の斜視図であって、板状端子が折り曲げられた後の状態が示された図である。
【図８】図８は、第１実施形態にかかる組電池の一例に含まれる電池、壁部、および板状端子の模式的な断面図である。
【図９】図９は、第２実施形態にかかる組電池の一例の一部の斜視図である。
【図１０】図１０は、第２実施形態にかかる組電池の一例に含まれるバスバーの斜視図である。
【図１１】図１１は、第２実施形態にかかる組電池の一例のバスバーおよび板状端子の側面図である。
【図１２】図１２は、第２実施形態の第１変形例にかかる組電池の一例のバスバーおよび板状端子の側面図である。
【図１３】図１３は、図１２のXIII−XIII断面図である。
【図１４】図１４は、第２実施形態の第２変形例にかかる組電池の一例に含まれる電池、壁部、および板状端子の断面図である。
【図１５】図１５は、第３実施形態にかかる組電池の一例の一部の分解斜視図である。
【図１６】図１６は、第３実施形態にかかる組電池の一例の一部の斜視図である。
【発明を実施するための形態】
【０００７】
以下の例示的な複数の実施形態および変形例には、同様の構成要素が含まれている。よって、以下では、同様の構成要素には共通の符号が付されるとともに、重複する説明が省略される。また、一部の図では、説明の便宜上、方向（Ｘ方向、Ｙ方向、Ｚ方向）が示されている。Ｘ方向、Ｙ方向、およびＺ方向は、相互に直交している。
【０００８】
＜第１実施形態＞
本実施形態では、一例として、組電池１（電池）は、直列または並列に接続された複数の単電池２（単電池、単セル、電池、図３，４等参照）を有し、一例としては、二次電池（蓄電池、充電式電池）として構成されうる。組電池１は、種々の装置や、機械、設備等に設置されうる。具体的に、組電池１は、例えば、携帯電話や、パーソナルコンピュータ、携帯音楽プレーヤー等の比較的小型の装置等の電源として使用されることができる他、電動自転車や、ハイブリッド電気自動車、電気自動車等の比較的大型の装置等の電源としても使用されることができる。また、組電池１は、例えば、自動車や自転車（移動体）等の電源等、移動型の電源としても使用されることができる他、例えば、ＰＯＳ（point of sales）システム用の電源等、定置型の電源としても使用されることができる。また、種々の装置等には、本実施形態で示される複数の組電池１を、直列あるいは並列に接続したセットとして搭載することができる。よって、組電池１は、電池モジュール（電池ユニット）と言うことができる。また、組電池１に含まれる単電池２の数や配置等は、本実施形態で開示されるものには限定されない。また、組電池１には、電池の電圧や温度を監視するための配線や、監視基板、電池制御のための制御基板等が含まれうる。
【０００９】
本実施形態では、一例として、単電池２は、それぞれ、リチウムイオン二次電池として構成されることができる。リチウムイオン二次電池は、非水電解質二次電池の一種であり、電解質中のリチウムイオンが電気伝導を担う。正極材料としては、例えば、リチウムマンガン複合酸化物、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、炭素質材料、シリコン系材料等が用いられる。また、電解質（一例としては電解液）としては、例えば、フッ素系錯塩（例えばＬｉＢＦ４、ＬｉＰＦ６）等のリチウム塩が配合された、例えば、炭酸エチレンや炭酸プロピレン、炭酸ジエチル、炭酸エチルメチル、炭酸ジメチル等の有機溶媒等が単独であるいは複数混合されて用いられる。なお、単電池２は、ニッケル水素電池や、ニッケルカドミウム電池、鉛蓄電池等、他の二次電池であってもよい。
【００１０】
本実施形態では、一例として、図１〜３等に示されるように、組電池１の外周は、カバー３で覆われている。具体的に、カバー３は、複数（本実施形態では、一例として二つ）の部材３１，３２に分割されている。部材３１には、壁部３ａ（底壁），３ｃ（側壁），３ｄ（端壁）が含まれ、部材３２には、壁部３ｂ（天壁），３ｃ（側壁），３ｄ（端壁）が含まれている。部材３１，３２は、組電池１の厚さ方向（Ｚ方向）の中間位置（本実施形態では、一例として中央位置）で分割されている。カバー３は、絶縁性かつ弾性（可撓性、柔軟性、伸縮性）を有した弾性材料（一例としては、エラストマ等）で構成されている。また、壁部３ａ，３ｂには、開口部３ｅが設けられている。開口部３ｅは、例えば、貫通孔や切欠として構成され、本実施形態では、一例として貫通孔である。
【００１１】
本実施形態では、一例として、図１〜３等に示されるように、カバー３内には、ケース４（筐体、骨格部材、支持部材、フレーム）が収容されている。具体的に、ケース４は、複数（本実施形態では、一例として二つ）の部材４１，４２に分割されている。部材４１には、壁部４ａ（底壁），４ｃ（側壁），４ｄ（端壁）が含まれ、部材４２には、壁部４ｂ（天壁）が含まれている。ケース４は、絶縁性を有した合成樹脂材料で構成されている。また、壁部４ａ，４ｂには、開口部４ｅが設けられている。開口部４ｅは、例えば、貫通孔や切欠として構成され、本実施形態では、一例として貫通孔である。開口部４ｅは、Ｙ方向に沿ったスリット状に形成され、Ｘ方向に並べて配置されている。図１，２に示されるように、開口部３ｅと開口部４ｅとは、互いに重なっている（連通している）。開口部３ｅ，４ｅにより、一例としては、組電池１の内部での通気性が向上され、よって、一例としては、組電池１がより過熱しにくい。また、部材４１と部材４２とは、例えば、接着や、溶着、結合具（例えば、ねじ等）等により互いに接合（接続）され、一体化される。ケース４は、絶縁性を有した合成樹脂材料（例えば、変性ＰＰＥ（ポリフェニレンエーテル）や、ＰＦＡ（パーフルオロアルコキシアルカン、テトラフルオロエチレン・パーフルオロアルキルビニルエーテル共重合体）等）で構成されうる。また、ケース４の合成樹脂材料としては、熱可塑性樹脂を用いることができ、例えば、ＰＥや、ＰＰ、ＰＭＰ等のオレフィン樹脂、ＰＥＴや、ＰＢＴ、ＰＥＮ等のポリエステル系樹脂、ＰＯＭ樹脂、ＰＡ６、ＰＡ６６、ＰＡ１２等のポリアミド系樹脂、ＰＰＳ樹脂、ＬＣＰ樹脂等の結晶性樹脂およびそれらのアロイ樹脂、あるいは、ＰＳや、ＰＣ、ＰＣ／ＡＢＳ、ＡＢＳ、ＡＳ、変性ＰＰＥ、ＰＥＳ、ＰＥＩ、ＰＳＦ等の非結晶性樹脂およびそれらのアロイ樹脂を、用いることができる。
【００１２】
本実施形態では、一例として、図３に示されるように、ケース４の部材４１と部材４２との間に、複数（本実施形態では、一例として六個）の単電池２が収容されている。複数（本実施形態では、一例として３個）の単電池２は、当該単電池２の幅方向（Ｘ方向）に沿って並べられている。そして、壁部４ａに沿った複数（本実施形態では、一例として三箇所）の位置のそれぞれで、複数の単電池２が、当該単電池２の厚さ方向（組電池１の厚さ方向、Ｚ方向）に、重ねられている。また単電池２は、いずれも、ケース４の壁部４ｃ側に板状端子２ａ（端子、タブ、導体、電極）が位置する姿勢で、配置されている。
【００１３】
本実施形態では、一例として、単電池２は、所謂ラミネート型（ラミネートシート型、積層型）の電池として構成されている。単電池２は、扁平な薄型の直方体状に構成されており、厚さ方向の視線（平面視）では四角形状（長方形状）の外観を呈している。なお、単電池２は、パック、バッグ、ケース、ガイド、フレーム、ブラケット等を有することができる。また、単電池２は、巻型であってもよい。
【００１４】
また、本実施形態では、一例として、図４に示されるように、単電池２は、正極および負極の板状端子２ａを有している。板状端子２ａは、折り曲げ可能であり（可撓性を有し）、帯状（四角形状、短冊状）であり、かつ扁平である（薄い）。二つの板状端子２ａのうち一方は正極の端子、もう一方は負極の端子である。正極および負極の板状端子２ａの大きさおよび形状は、同じである。板状端子２ａは、電気伝導率が比較的高い導体（金属材料、例えば、銀や、銅、アルミニウム等を含む合金等）で構成される。また、二つの板状端子２ａは、単電池２の長手方向の一つの端部２ｂ（短辺部）から当該長手方向に沿って突出している。二つの板状端子２ａは、互いに間隔をあけて平行に突出している。板状端子２ａは単電池２の厚さ方向の一方側の端部から突出している。板状端子２ａの厚さ方向は、単電池２の厚さ方向と略一致している。そして、板状端子２ａの材質や厚さ等のスペックは、適宜な大きさの外力（例えば、作業者の手指から作用した力等）によって、当該板状端子２ａの厚さ方向に折り曲げる（屈曲させる、塑性変形させる）ことができるように設定されている。
【００１５】
本実施形態では、一例として、図３に示されるように、複数（本実施形態では、一例として六個）の板状のバスバー５（導電体、導体、導体部）が、壁部４ｃに取り付けられている。バスバー５と板状端子２ａとは、互いに機械的に接合されるとともに電気的に接続される。バスバー５は、組電池１の導電体として機能する。バスバー５は、面５ａ（第一の面または第二の面）とその反対側の面５ｂ（第二の面または第一の面、図５〜８等参照）とを有する。バスバー５は、例えば、壁部４ｃを成形する際に、インサート成形によって、壁部４ｃに固定されることができる。また、バスバー５は、壁部４ｃに、結合具（例えば、ねじ等）を用いて固定されてもよいし、結合部（例えば、突起、爪等）を食い込ませたり嵌合したりすることで固定されてもよい。また、本実施形態では、一例として、図８に示されるように、バスバー５は、その面５ａと壁部４ｃの面４ｆとが略連なった状態に位置される。すなわち、少なくとも面５ａが露出された状態で、バスバー５の少なくとも一部が壁部４ｃに埋め込まれている。このように、本実施形態では、一例として、バスバー５が壁部４ｃに設けられている。よって、本実施形態によれば、一例としては、バスバー５が基板（回路基板、配線基板）等に設けられた場合に比べて、構成がより簡素化されやすい。また、一例としては、部品点数が減りやすい。
【００１６】
本実施形態では、一例として、図５〜８に示されるように、バスバー５には、板状端子２ａに対応した凹部５ｃ（溝部、開口部、段差部、凹凸構造）が設けられている。凹部５ｃは、一例としては、板状端子２ａがバスバー５に取り付けられる際のガイドや位置決め等として機能することができる。よって、本実施形態によれば、一例としては、板状端子２ａとバスバー５とがより容易に固定（接合）されやすい。また、バスバー５には、開口部５ｄが設けられている。開口部５ｄは、例えば、貫通孔や切欠として構成されることができる。本実施形態では、一例として、開口部５ｄは、貫通孔として構成されている。凹部５ｃと開口部５ｄとは互いに隣接して設けられている。また、図８に示されるように、壁部４ｃには、開口部５ｄと重なった開口部４ｇが設けられている。開口部５ｄ，４ｇも、凹部５ｃと同様に、一例としては、板状端子２ａがバスバー５に取り付けられる際のガイドや位置決め等として機能することができる。
【００１７】
本実施形態では、一例として、板状端子２ａは、図６に示されるように開口部５ｄに通される。そして、板状端子２ａの先端部分２ｃが、板状端子２ａの厚さ方向（単電池２の厚さ方向）に曲げられ（屈曲され、折り曲げられ）、凹部５ｃに収容される。このようにして、図７，８に示されるような状態が得られる。図７，８の状態で、板状端子２ａの先端部分２ｃとバスバー５とが、溶接や、溶着、はんだ付け等によって、互いに接合される。これらの接合は、複数段階に分けて行うことができる。
【００１８】
また、本実施形態では、一例として、図３に示されるように、複数のバスバー５のそれぞれには、配線６（ケーブル、ハーネス、リード線）が接続されている。配線６は、部品７（素子、計測部、電気部品）に接続されている。この部品７は、バスバー５間の特性を計測することができる。特性としては、例えば、電圧や電流等の電気的な特性や、温度等がある。部品７は、一例としては、壁部４ａに取り付ける（固定する）ことができる。なお、二つのバスバー５は、組電池１の外部接続端子５ｅを有している。外部接続端子５ｅと管理基板８の端子８ａとは、例えば、結合具（例えば、ねじ等）や、はんだ付け、溶接等によって、互いに機械的に接合されるとともに電気的に接続されている。
【００１９】
以上説明したように、本実施形態では、一例として、単電池２（電池）の板状端子２ａが、バスバー５の凹部５ｃと対応して位置されるとともに、バスバー５と重ねられて接合されている。よって、本実施形態によれば、一例としては、板状端子２ａ（単電池２）とバスバー５とがより位置決めされやすい。あるいは、一例としては、板状端子２ａとバスバー５との接合がより容易にあるいはより精度良く実行されやすい。
【００２０】
また、本実施形態では、一例として、板状端子２ａの厚さ方向に曲げられた先端部分２ｃが、凹部５ｃと対応して位置されるとともに、バスバー５と重ねられて接合されている。よって、本実施形態によれば、一例としては、バスバー５の面５ａまたは面５ｂに沿う方向に、板状端子２ａ（単電池２）とバスバー５とがより位置決めされやすい。
【００２１】
また、本実施形態では、一例として、バスバー５が、ケース４の壁部４ｃに固定されている。よって、本実施形態によれば、一例としては、バスバー５用の基板等を設けた場合に比べて、構成がより簡素化されやすい。
【００２２】
また、本実施形態では、一例として、正極および負極の板状端子２ａが単電池２の一つの端部２ｂから突出し、複数の単電池２の板状端子２ａが、バスバー５が設けられた一つの壁部４ｃ側に位置されている。よって、本実施形態によれば、一例としては、板状端子２ａとバスバー５との接合が、より容易にあるいはより迅速に行われやすい。
【００２３】
また、本実施形態では、一例として、バスバー５が、壁部４ｃにインサート成形で固定されている。よって、本実施形態によれば、一例としては、組電池１の組み立ての手間がより減りやすい。
【００２４】
＜第２実施形態＞
本実施形態にかかる組電池１Ａも、上記他の実施形態にかかる組電池１と同様の構成を備えている。よって、本実施形態にかかる組電池１Ａによっても、当該同様の構成に基づく同様の結果が得られる。ただし、本実施形態では、一例として、図１１に示されるように、バスバー５Ａの面５ａ上で、複数（本実施形態では、一例として二つ）の板状端子２ａの先端部分２ｃの端部２ｄ同士が、互いに面する（近接する、向き合う）状態に配置されている。よって、本実施形態によれば、一例としては、一つのバスバー５Ａをより多くの単電池２用の導電体として用いる（共用する）ことができる。よって、一例としては、構成がより簡素化されやすい。また、一例としては、互いに面した二つの端部２ｄのうち一方が他方のガイドや位置決め等として機能することもできる。
【００２５】
本実施形態では、一例として、図９，１１に示されるように、バスバー５Ａの面５ａ上では、バスバー５Ａの幅方向（図９，１１では上下方向）の一方側から一つの板状端子２ａの先端部分２ｃが他方側に向けて延びるとともに、バスバー５Ａの幅方向（図９，１１では上下方向）の他方側からもう一つの板状端子２ａの先端部分２ｃが一方側に向けて延びている。そして、先端部分２ｃの端部２ｄ同士が、バスバー５Ａの幅方向の中央部で互いに近接され、面している。また、バスバー５Ａの長手方向一方側には単電池２の板状端子２ａが接合され、長手方向他方側には別の単電池２の板状端子２ａが接合されている。すなわち、本実施形態では、一例として、バスバー５Ａの長手方向に沿って複数の単電池２の板状端子２ａの先端部分２ｃが並べられるとともに、短手方向に沿って複数の単電池２の板状端子２ａの先端部分２ｃが並べられている。そして、図１０に示されるように、バスバー５Ａの面５ａには、先端部分２ｃに対応して、当該先端部分２ｃが収容される凹部５ｃが設けられている。
【００２６】
本実施形態では、一例として、図１１に示されるように、バスバー５Ａと板状端子２ａの先端部分２ｃとは、異なる溶接方式による複数の溶接部分Ｐｍａ，Ｐｍｂで互いに接合されている。溶接部分Ｐｍａでは、例えば、スポット溶接により、バスバー５Ａと先端部分２ｃとが互いに接合されている。溶接部分Ｐｍｂでは、例えば、シーム溶接により、バスバー５Ａと先端部分２ｃとが互いに接合されている。この場合、一例としては、まずは、溶接部分Ｐｍａで、スポット溶接によって、バスバー５Ａと先端部分２ｃとが接合された後、溶接部分Ｐｍｂで、シーム溶接によって、バスバー５Ａと先端部分２ｃとが接合されることができる。溶接部分Ｐｍａでのスポット溶接については、それのみでは接合についての所要の（寿命条件を満たす）信頼性および耐久性が確保されない強度とすることができる。その場合、溶接部分Ｐｍａでのスポット溶接は、所謂仮留め（仮溶接、第一溶接、次の溶接のための準備工程）に相当する。また、溶接部分Ｐｍｂでのシーム溶接については、それのみで所要の（寿命条件を満たす）信頼性および耐久性が確保される強度とすることができる。その場合、溶接部分Ｐｍｂでのシーム溶接は、所謂本留め（本溶接、第二溶接）に相当する。また、溶接部分Ｐｍａでのスポット溶接および溶接部分Ｐｍｂでのシーム溶接について、それぞれ単独で、バスバー５Ａと先端部分２ｃとの接合についての所要の（寿命条件を満たす）信頼性および耐久性が確保されるようにすることもできる。
【００２７】
また、本実施形態では、一例として、図１１に示されるように、溶接部分Ｐｍｂは、線状に形成されており、複数の溶接部分Ｐｍｂ（第一の溶接部分および第二の溶接部分）が略直線上に配置されている。よって、本実施形態によれば、一例としては、複数の溶接部分Ｐｍｂでの溶接が、より容易にあるいはより迅速に行われやすい。
【００２８】
また、本実施形態では、一例として、図１１に示されるように、図１１の右側に位置される溶接部分Ｐｍａでは、複数（本実施形態では、一例として二つ）の板状端子２ａの先端部分２ｃの端部２ｄと複数（本実施形態では、一例として二つ）の凹部５ｃ間の領域とが一度に接合されている。よって、本実施形態によれば、一例としては、複数の板状端子２ａとバスバー５Ａとがそれぞれ別個に接合される場合に比べて、接合がより容易にあるいはより迅速に行われやすい。
【００２９】
＜第１変形例＞
本変形例にかかる組電池１Ｂも、上記他の実施形態にかかる組電池１，１Ａと同様の構成を備えている。よって、本変形例にかかる組電池１Ｂによっても、当該同様の構成に基づく同様の結果が得られる。ただし、本変形例では、一例として、図１２，１３に示されるように、バスバー５Ｂの面５ａ上に、複数の突起５ｆ（凸部、突出部、段差部、凹凸構造）が設けられている。板状端子２ａの先端部分２ｃは、突起５ｆに対応して位置される。言い換えれば、複数の突起５ｆが、先端部分２ｃに対応して、当該先端部分２ｃの端部２ｄや周縁部２ｅに沿って設けられている。よって、本変形例によれば、一例としては、突起５ｆが、板状端子２ａがバスバー５Ｂに取り付けられる際のガイドや位置決め等として機能することができる。よって、一例としては、板状端子２ａ（単電池２）とバスバー５Ｂとがより位置決めされやすい。あるいは、一例としては、板状端子２ａとバスバー５Ｂとの接合がより容易にあるいはより精度良く実行されやすい。なお、突起５ｆと板状端子２ａとは、シーム溶接によって接合されることができる。
【００３０】
また、本変形例では、一例として、図１３に示されるように、二つの端部２ｄ間に位置される溶接部分Ｐｍｂでは、複数（本変形例では、一例として二つ）の板状端子２ａの先端部分２ｃの端部２ｄと突起５ｆとが一度に接合される。よって、本変形例によれば、一例としては、複数の板状端子２ａとバスバー５Ｂとがそれぞれ別個に接合される場合に比べて、接合がより容易にあるいはより迅速に行われやすい。
【００３１】
＜第２変形例＞
本変形例にかかる組電池１Ｃも、上記他の実施形態や変形例にかかる組電池１，１Ａ，１Ｂと同様の構成を備えている。よって、本変形例にかかる組電池１Ｃによっても、当該同様の構成に基づく同様の結果が得られる。ただし、本変形例では、一例として、図１４に示されるように、複数の板状端子２ａの先端部分２ｃとバスバー５Ｃとが重ねられた状態で接合されている。よって、本変形例によれば、一例としては、複数の板状端子２ａとバスバー５Ｃとがそれぞれ別個に接合される場合に比べて、接合がより容易にあるいはより迅速に行われやすい。
【００３２】
＜第３実施形態＞
本実施形態にかかる組電池１Ｄも、上記他の実施形態や変形例にかかる組電池１，１Ａ，１Ｂ，１Ｃと同様の構成を備えている。よって、本実施形態にかかる組電池１Ｄによっても、当該同様の構成に基づく同様の結果が得られる。ただし、本実施形態では、一例として、図１５，１６に示されるように、バスバー５Ｄには、配線６に替わる特性検出用の端子５ｇが設けられている。各端子５ｇは、バスバー５Ｄの面５ａから当該面５ａと交叉する方向（本実施形態では、一例として直交する方向）に突出し、基板９の電極部９ｂに接合される。基板９には、特性検出回路あるいは第１実施形態の部品７と同様の部品（素子、計測部、電気部品、図示されず）が設けられている。また、基板９の端子５ｇに対応する位置には、貫通孔９ａが設けられている。端子５ｇは、貫通孔９ａに通された状態で、基板９の電極部９ｂにはんだ付け等で電気的に接続される。なお、基板９は、接着や、溶着、結合具（例えば、ねじ等）等により、ケース４に接合されることができる。あるいは、端子５ｇと基板９の電極部９ｂとの接合によって、基板９をバスバー５Ｄ、ひいてはケース４の壁部４ｃに取り付ける（固定する）ことができる。
【００３３】
以上、本発明の実施形態および変形例を例示したが、上記実施形態および変形例はあくまで一例であって、発明の範囲を限定することは意図していない。これら実施形態や変形例は、その他の様々な形態で実施されることが可能であり、発明の要旨を逸脱しない範囲で、種々の省略、置き換え、組み合わせ、変更を行うことができる。これら実施形態や変形例は、発明の範囲や要旨に含まれるとともに、特許請求の範囲に記載された発明とその均等の範囲に含まれる。実施形態や変形例間で、構成要素を部分的に置き換えることも可能である。また、各構成要素のスペック（構造や、種類、方向、形状、大きさ、長さ、幅、厚さ、高さ、数、配置、位置、材質等）は、適宜に変更して実施することができる。例えば、板状端子（端子）は、バスバーの第二の面に重ねられてもよいし、凹部あるいは凸部は、バスバーの第二の面に設けられてもよい。
【符号の説明】
【００３４】
１，１Ａ〜１Ｄ…組電池、２…単電池（電池）、２ａ…板状端子（端子）、２ｂ…（電池の）端部、２ｃ…先端部分、２ｄ…（先端部分の）端部、４…ケース、４ｃ…壁部、５，５Ａ〜５Ｄ…バスバー（導電体）、５ａ…面（第一の面または第二の面）、５ｂ…面（第二の面または第一の面）、５ｃ…凹部、５ｆ…突起（凸部）、Ｐｍａ…溶接部分、Ｐｍｂ…溶接部分（第一の溶接部分、第二の溶接部分）。
【図１】
2014022195.tif 000003
【図２】
2014022195.tif 000004
【図３】
2014022195.tif 000005
【図４】
2014022195.tif 000006
【図５】
2014022195.tif 000007
【図６】
2014022195.tif 000008
【図７】
2014022195.tif 000009
【図８】
2014022195.tif 000010
【図９】
2014022195.tif 000011
【図１０】
2014022195.tif 000012
【図１１】
2014022195.tif 000013
【図１２】
2014022195.tif 000014
【図１３】
2014022195.tif 000015
【図１４】
2014022195.tif 000016
【図１５】
2014022195.tif 000017
【図１６】
2014022195.tif 000018